(57)【要約】【課題】初期設定またはユーザ登録を適切に実行する。【解決手段】当該印刷装置１の電源オフ時における情報処理装置２のＭＡＣアドレスを記憶する記憶部１２と、当該印刷装置１電源オン時に、情報処理装置２のＭＡＣアドレスをネットワークを介して収集し、収集したＭＡＣアドレスと記憶部１２に記憶されたＭＡＣアドレスとを比較したときのＭＡＣアドレスの変化数に基づいて、当該印刷装置１の初期設定の実行を支援する初期設定支援処理か、ユーザの登録処理の実行を支援する登録支援処理のいずれを実行するかを判定する判定手段１１ａと、判定手段１１ａに基づいて判定された処理を実行する実行手段１１ｂとを備える。【選択図】図１
2018099812.tif 000002
【特許請求の範囲】
【請求項１】
ネットワークを介して端末と接続され、前記端末から送信される印刷ジョブに基づいて印刷処理を実行する印刷装置であって、
当該印刷装置の電源オフ時における前記端末のＭＡＣアドレスを記憶する記憶手段と、
当該印刷装置の電源オン時に、前記端末のＭＡＣアドレスを前記ネットワークを介して収集し、前記収集したＭＡＣアドレスと前記記憶手段に記憶されたＭＡＣアドレスとを比較したときのＭＡＣアドレスの変化数に基づいて、当該印刷装置の初期設定の実行を支援する初期設定支援処理か、前記端末の登録処理の実行を支援する登録支援処理のいずれを実行するかを判定する判定手段と、
前記判定手段に基づいて判定された処理を実行する実行手段と、
を備えたことを特徴とする印刷装置。
【請求項２】
当該印刷装置が保守契約の対象装置であるか否かを示す保守対象フラグと、保守契約先の連絡先アドレスとを記憶する保守記憶手段と、
当該印刷装置の電源オン時における前記ＭＡＣアドレスの変化数が所定の割合以上であり、かつ前記保守記憶手段に記憶された保守対象フラグが保守契約の対象装置であることを示している場合、前記ネットワークを介して前記連絡先アドレスに、保守の必要があることを通知する通知手段と、
をさらに備えたことを特徴とする請求項１記載の印刷装置。
【発明の詳細な説明】
【技術分野】
【０００１】
本発明は、初期設定またはユーザ登録を適切に実行することができる印刷装置に関する。
【背景技術】
【０００２】
近年、オフィスでは、複数のコンピュータと印刷装置とをネットワークを介して接続し、複数のコンピュータ間で印刷装置を共有することが多くなっている。
【０００３】
そのため、セキュリティの観点から、コンピュータから印刷要求の操作を行ったユーザが確実に印刷物を取得できるように、印刷装置は、ユーザによる操作パネルの認証操作に基づいて、操作したユーザが認証された場合にのみ印刷物を出力していた。
【０００４】
このようなユーザ認証を行うには、使用するユーザを登録しておき、ユーザによる操作パネルの認証操作に基づいて、操作されたユーザが登録されたユーザであるかを判定する必要がある。
【０００５】
特許文献１には、印刷を実行する印刷装置と、印刷装置に印刷の指示を行う印刷指示装置と、印刷指示装置を操作するユーザの認証を行う認証装置とを備えた印刷システムに関する技術が開示されている。具体的には、ユーザが操作するＰＣのＭＡＣアドレス等を受信し、受信したＭＡＣアドレスと同一のＭＡＣアドレスに対応付けられたユーザＩＤが、ＭＡＣアドレスデータテーブルに登録されていなければ、未登録通知をＰＣに送信する。そして、ＰＣから送信されるユーザＩＤとＭＡＣアドレスとを受信し、ＭＡＣアドレスデータテーブルに登録する。また、ユーザＩＤが登録されている場合には、印刷許可通知がＰＣに送信され、印刷許可通知を受信したＰＣは印刷データをプリンタに送信し、印刷を行う。
【先行技術文献】
【特許文献】
【０００６】
【特許文献１】特開２０１１−２３３１１７号公報
【発明の概要】
【発明が解決しようとする課題】
【０００７】
ここで、例えば新入社員の採用などにより新規に印刷装置を使用するユーザが増加する場合、使用し始める前にそのユーザを登録する必要がある。この場合、印刷装置の初期設定を行う必要はなく、ユーザのみを追加した方が設定時間の短縮を図ることができる。
【０００８】
その一方、設定されている印刷装置の設置場所が変更されたり、組織変更により設置されている印刷装置を利用するユーザに大幅に変更されたりすることもある。このような場合、使用するユーザの登録に加え、ネットワークの設定、言語設定、時刻設定なども同時に必要となる場合が多い。そのため、このような場合には、初期設定から設定し直した方が印刷装置の使用環境を適切に構築することができる。
【０００９】
上述した特許文献１に記載の印刷システムでは、ＭＡＣアドレスの入れ替わりがあっても、初期設定を行うべきか、ユーザ登録のみを行えばよいのか判定していなかった。そのため、ユーザ自身がユーザの登録を行うか、または初期設定を行うかを判断しなければならないので、無駄な設定をしてしまったり、逆に必要な設定が行われず適切な使用環境となっておらず、印刷に不具合が生じる場合があった。
【００１０】
本発明はこのような問題に鑑みてなされたもので、初期設定またはユーザ登録を適切に実行することができる印刷装置を提供することを目的とする。
【課題を解決するための手段】
【００１１】
上記目的を達成するため、本発明に係る印刷装置の第１の特徴は、
ネットワークを介して端末と接続され、前記端末から送信される印刷ジョブに基づいて印刷処理を実行する印刷装置であって、
当該印刷装置の電源オフ時における前記端末のＭＡＣアドレスを記憶する記憶手段と、
当該印刷装置の電源オン時に、前記端末のＭＡＣアドレスを前記ネットワークを介して収集し、前記収集したＭＡＣアドレスと前記記憶手段に記憶されたＭＡＣアドレスとを比較したときのＭＡＣアドレスの変化数に基づいて、当該印刷装置の初期設定の実行を支援する初期設定支援処理か、前記端末の登録処理の実行を支援する登録支援処理のいずれを実行するかを判定する判定手段と、
前記判定手段に基づいて判定された処理を実行する実行手段と、
を備えたことにある。
【００１２】
また、本発明に係る印刷装置の第２の特徴は、
当該印刷装置が保守契約の対象装置であるか否かを示す保守対象フラグと、保守契約先の連絡用アドレスとを記憶する保守記憶手段と、
当該印刷装置の電源オン時における前記ＭＡＣアドレスの変化数が所定の割合以上であり、かつ前記フラグ記憶手段に記憶された保守対象フラグが保守契約の対象装置であることを示している場合、前記ネットワークを介して前記連絡先アドレスに、保守の必要があることを通知する通知手段と、
をさらに備えたことにある。
【発明の効果】
【００１３】
本発明に係る印刷装置の第１の特徴によれば、判定手段が、印刷装置の電源オン時に、前記端末のＭＡＣアドレスを前記ネットワークを介して収集し、前記収集したＭＡＣアドレスと前記記憶手段に記憶されたＭＡＣアドレスとを比較したときのＭＡＣアドレスの変化数に基づいて、当該印刷装置の初期設定の実行を支援する初期設定支援処理か、前記端末の登録処理の実行を支援する登録支援処理のいずれを実行するかを判定する。
【００１４】
そのため、例えば、当該印刷装置の電源オフ中に印刷装置の移設や、組織変更により設置されている印刷装置を利用するユーザの大幅な変更があった場合には、初期設定支援処理を実行し、例えば、新入社員が数名配属になるなど印刷装置を使用するユーザが数人まとまって増加した場合には、登録支援処理を実行することができる。
【００１５】
これにより、ユーザが初期設定や登録処理を失念することなく、初期設定またはユーザ登録を適切に実行することができる。
【００１６】
また、本発明に係る印刷装置の第２の特徴によれば、通知手段が、当該印刷装置の電源オン時におけるＭＡＣアドレスの変化数が所定の割合以上であり、かつ保守記憶手段に記憶された保守対象フラグが保守契約の対象装置であることを示している場合、ネットワークを介して連絡先アドレスに、保守の必要があることを通知する。
【００１７】
そのため、ユーザは、わざわざ印刷装置が移設したことや組織変更があったことを保守契約先に連絡することなく、印刷装置について保守契約先による十分な保守を受けることができる。
【図面の簡単な説明】
【００１８】
【図１】本発明に係る実施例の印刷装置と情報処理装置の構成を示す構成図である。
【図２】本発明に係る実施例１の印刷装置のＭＡＣアドレス更新処理の処理内容を示すフローチャートである。
【図３】本発明に係る実施例１の印刷装置の電源オフ時処理の処理内容を示すフローチャートである。
【図４】本発明に係る実施例１の印刷装置の電源オン時処理の処理内容を示すフローチャートである。
【図５】本発明に係る実施例１の印刷装置の電源オン時処理の処理内容のうち、特に保守に関する処理の処理内容を示すフローチャートである。
【図６】本発明に係る実施例１の印刷装置の電源オン時処理の処理内容のうち、特に初期設定支援処理および登録支援処理の処理内容の処理内容を示すフローチャートである。
【発明を実施するための形態】
【００１９】
以下、本発明に係る印刷装置の実施形態１について、図面を参照して説明する。なお、以下に示す実施形態１の印刷装置は、この発明の技術的思想を具体化するために例示するものであって、この発明の技術的思想は、各構成部品の配置等を下記のものに特定されるものではなく、この発明の技術的思想の範囲内において、種々の変更を加えることができる。
【００２０】
（実施例１）
図１は、本発明に係る実施例の印刷装置１と情報処理装置２の構成を示す構成図である。
【００２１】
図１に示すように、本発明に係る実施例１の印刷装置１は、有線または無線のイントラネットワークやインターネット等のネットワーク３を介して、複数台（ここでは、一例として、４台とする。）情報処理装置２と接続されており、各情報処理装置２からの印刷ジョブを受信して画像を形成するように構成されている。また、印刷装置１は、ネットワーク３を介して、保守契約先端末４とも接続されている。
【００２２】
各情報処理装置２は、汎用のパーソナルコンピュータやタブレット、スマートフォン等のコンピュータ装置であり、印刷ジョブを生成して、ネットワーク３を介して印刷装置１に送信して印刷させるもので、ＣＰＵ２１と、メモリ２２と、プログラム記憶部２３と、液晶ディスプレイ等の表示部２４と、キーボードやマウス等の入力部２５と、ネットワーク３に接続されるネットワークＩ／Ｆ部１６等を備える。
【００２３】
プログラム記憶部２３は、図示しないＯＳ（オペレーションシステム）プログラムや、プリンタドライバプログラム２３ａ、ブラウザプログラムや文書作成プログラム等の各種アプリケーションプログラム２３ｂを記憶している。
【００２４】
ＣＰＵ２１は、プログラム記憶部２３に記憶された各プログラムを実行することにより、情報処理装置２全体の動作を制御すると共に、特に、プリンタドライバプログラム２３ａを実行することによりブラウザプログラムや文書作成プログラム等の各種アプリケーションプログラム２３ｂによって生成したデータに基づいて印刷ジョブを生成して印刷装置１へ送信する。
【００２５】
また、ＣＰＵ２１は、ＡＲＰ（Address Resolution Protocol）コマンドに応答して、自身のＭＡＣアドレスを通知する。
【００２６】
印刷装置１は、ＣＰＵ１１と、記憶部１２と、プログラム記憶部１３と、操作パネル部１４と、画像形成部１５と、ネットワーク３に接続されるネットワークＩ／Ｆ部１６等を備える。
【００２７】
記憶部１２は、各情報処理装置２が送信してきた印刷ジョブを記憶すると共に、電源オフ時における各情報処理装置２のＩＰアドレスとＭＡＣアドレスとが対応づけられたＡＲＰテーブルを記憶する。また、電源オン中は、所定間隔でネットワーク３に接続された各情報処理装置２と通信することにより、ＡＲＰテーブルを最新状態に更新する。
【００２８】
さらに、記憶部１２は、印刷装置１が保守契約の対象装置であるか否かを示す保守対象フラグと、保守契約先端末４の連絡用アドレスとを記憶する。
【００２９】
プログラム記憶部１３は、ＣＰＵ１１が印刷装置１全体の動作を制御すると共に、本発明の判定手段１１ａと、実行手段１１ｂ、通知手段１１ｃとして機能させるための制御プログラム１３ａが格納されている。
【００３０】
操作パネル部１４は、電源のオン／オフや、コピーや印刷等の画像形成の切り替え、画像形成時の枚数や用紙のサイズ、印刷濃度等の印刷装置１における各種設定をユーザ操作によって受付ける。
【００３１】
画像形成部１５は、各情報処理装置２から受信した印刷ジョブに基づいて画像形成を行うもので、各色のインクヘッドからインクを吐出して印刷を行うインクジェット方式や、孔版印刷方式、レーザー印刷方式等の各種印刷方式により画像形成を実行する。
【００３２】
ＣＰＵ１１は、プログラム記憶部１３に記憶された制御プログラム１３ａを実行することにより、印刷装置１全体を制御すると共に、本発明に係る印刷装置１の機能を具現化する判定手段１１ａと、実行手段１１ｂ、通知手段１１ｃとして機能する。
【００３３】
判定手段１１ａは、印刷装置１の電源オン時に、情報処理装置２のＭＡＣアドレスをネットワーク３を介して収集し、収集したＭＡＣアドレスと記憶部１２に記憶されたＭＡＣアドレスとを比較したときのＭＡＣアドレスの変化数に基づいて、当該印刷装置１の初期設定の実行を支援する初期設定支援処理か、情報処理装置２の登録処理の実行を支援する登録支援処理のいずれを実行するかを判定する。なお、ここでは、それぞれのユーザが１台ずつ情報処理装置２を使用しており、ユーザとＭＡＣアドレスとが１対１に対応していると擬制するものとする。
【００３４】
実行手段１１ｂは、判定手段１１ａに基づいて判定された処理を実行する。
【００３５】
通知手段１１ｃは、印刷装置１の電源オン時におけるＭＡＣアドレスの変化数が所定の割合以上であり、かつ記憶部１２に記憶された保守対象フラグが保守契約の対象装置であることを示している場合、ネットワーク３を介して連絡先アドレスに、保守の必要があることを通知する。
【００３６】
次に、以上のように構成された印刷装置１の動作を、図面を参照して説明する。
【００３７】
本発明の実施例１である印刷装置１は、主にＭＡＣアドレス更新処理と、電源オフ時処理と、電源オン時処理を行う。そのため、各々の処理について以下に詳細に説明する。
【００３８】
≪ＭＡＣアドレス更新処理≫
図２は、本発明に係る実施例１の印刷装置１のＭＡＣアドレス更新処理の処理内容を示すフローチャートである。
【００３９】
図２に示すように、印刷装置１は、所定時間毎に（ステップＳ１０１）、ＡＲＰコマンドにより、ネットワーク３に接続された各情報処理装置２と通信することにより、ＭＡＣアドレスを収集する（ステップＳ１０３）。
【００４０】
そして、印刷装置１は、新たに収集したＭＡＣアドレスを記憶部１２に記憶されたＡＲＰテーブル（ＭＡＣアドレスリスト）に追加する（ステップＳ１０５）。
【００４１】
これにより、電源オン中は、所定時間ごとにＡＲＰテーブル（ＭＡＣアドレスリスト）が更新されることになる。
【００４２】
≪電源オフ時処理≫
通常、印刷装置１を移設したり、組織変更により設置されている印刷装置を利用するユーザを大幅に変更したりする場合、印刷装置１の電源をオフにした状態で作業が行われる。そこで、電源オフの直前と電源オン直後とのＡＲＰテーブル（ＭＡＣアドレスリスト）を比較するためには、まず、電源オフの要求があった場合に、電源オフの処理を実行する前に、電源オフされる直前のＡＲＰテーブル（ＭＡＣアドレスリスト）を最新の状態に更新しておく必要がある。
【００４３】
図３は、本発明に係る実施例１の印刷装置１の電源オフ時処理の処理内容を示すフローチャートである。
【００４４】
図３に示すように、印刷装置１は、ユーザ操作により電源オフが要求されると（ステップＳ２０１）、ＡＲＰコマンドにより、ネットワーク３に接続された各情報処理装置２と通信することにより、ＭＡＣアドレスを収集する（ステップＳ２０３）。
【００４５】
そして、印刷装置１は、新たに収集したＭＡＣアドレスをＡＲＰテーブル（ＭＡＣアドレスリスト）に追加することにより、記憶部１２に記憶されたＡＲＰテーブル（ＭＡＣアドレスリスト）を更新する（ステップＳ２０５）。
【００４６】
その後、印刷装置１は、自装置の電源オフ処理を実行する（ステップＳ２０７）。
【００４７】
これにより、電源オフされる直前のＡＲＰテーブル（ＭＡＣアドレスリスト）が最新の状態に更新されているので、次回、電源オンされたとき、電源オフされる直前のＡＲＰテーブル（ＭＡＣアドレスリスト）と電源オン後のＡＲＰテーブル（ＭＡＣアドレスリスト）とを比較することにより、電源オフ中に、印刷装置１の移設や、組織変更により設置されている印刷装置を利用するユーザの大幅な変更があったと推測することができる。
【００４８】
≪電源オン時処理≫
図４〜図６は、本発明に係る実施例１の印刷装置１の電源オン時処理の処理内容を示すフローチャートである。特に、図５は、保守に関する処理の処理内容を示したフローチャートであり、図６は、初期設定支援処理および登録支援処理の処理内容を示したフローチャートである。
【００４９】
図４に示すように、印刷装置１のＣＰＵ１１の判定手段１１ａは、ユーザ操作により電源オンが要求されると（ステップＳ３０１）、ＡＲＰコマンドにより、ネットワーク３に接続された各情報処理装置２と通信することにより、ＭＡＣアドレスを収集する（ステップＳ３０３）。
【００５０】
次に、判定手段１１ａは、記憶部１２に記憶されたＡＲＰテーブル（ＭＡＣアドレスリスト）を読み込む（ステップＳ３０５）。
【００５１】
そして、判定手段１１ａは、ステップＳ３０３で収集したＭＡＣアドレスと、ステップＳ３０５で読み込んだＡＲＰテーブルのＭＡＣアドレスとを比較し、ステップＳ３０３で収集したＭＡＣアドレスに対して、ステップＳ３０５で読み込んだＡＲＰテーブルのＭＡＣアドレスが大幅に変更されたか否かを判定する（ステップＳ３０７）。例えば、判定手段１１ａは、比較の結果、ステップＳ３０５で読み込んだＡＲＰテーブルのＭＡＣアドレスの５０％以上がなくなり、５０％以上が追加されている場合、ＭＡＣアドレスが大幅に変更されたと判定する。
【００５２】
ＭＡＣアドレスが大幅に変更されたと判定された場合（ステップＳ３０７；ＹＥＳ）、電源オフ中に、印刷装置１の移設や、組織変更により設置されている印刷装置を利用するユーザの大幅な変更があったと推測することができる。
【００５３】
そこで、判定手段１１ａは、部署移動フラグをオンにして（ステップＳ３０９）、処理を図５のステップＳ４０１および図６のステップＳ５０１に移行する。
【００５４】
一方、ＭＡＣアドレスが大幅には変更されていないと判定された場合（ステップＳ３０７；ＮＯ）、例えば、ステップＳ３０３で収集したＭＡＣアドレスと、ステップＳ３０５で読み込んだＡＲＰテーブルのＭＡＣアドレスとの５０％以上が同一である場合、電源オフ中に、印刷装置１の移設や、組織変更により設置されている印刷装置を利用するユーザの大幅な変更はなかったと推測することができる。
【００５５】
そこで、次に、判定手段１１ａは、ステップＳ３０５で読み込んだＡＲＰテーブルのＭＡＣアドレスが１０％以上追加・変更がされた否かを判定する（ステップＳ３１１）。
【００５６】
ステップＳ３０５で読み込んだＡＲＰテーブルのＭＡＣアドレスが１０％以上追加・変更がされたと判定された場合（ステップＳ３１１；ＹＥＳ）、電源オフ中に、印刷装置１の移設や、組織変更により設置されている印刷装置を利用するユーザの大幅な変更はないものの、例えば、新入社員が数名配属になるなど印刷装置１を使用するユーザが数人まとまって増加したと推測できる。このような場合、それらの増加したユーザ登録を行うことが必要になる。
【００５７】
そこで、判定手段１１ａは、ユーザ増加フラグをオンにして（ステップＳ３１３）、処理を図５のステップＳ４０１および図６のステップＳ５０１に移行する。
【００５８】
一方、ステップＳ３０５で読み込んだＡＲＰテーブルのＭＡＣアドレスが１０％以上追加・変更がされていないと判定された場合（ステップＳ３１１；ＮＯ）、通常の印刷処理を実行する（ステップＳ３１５）。具体的には、印刷ジョブを受信すると、受信した印刷ジョブに基づいて印刷処理を実行する。なお、この場合にも、このタイミングでユーザ登録することなく、後ほど、操作パネル部１４のユーザ操作により、新規のユーザを登録することができる。
【００５９】
ステップＳ３０９において部署移動フラグをオンにした場合、またはステップＳ３１３においてユーザ増加フラグをオンにした場合、図５に示すように、判定手段１１ａは、ユーザ増加フラグがオンか否かを判定する（ステップＳ４０１）。
【００６０】
ユーザ増加フラグがオフであり（ステップＳ４０１；ＮＯ）、部署移動フラグがオンの場合（ステップＳ４０３）、電源オフ中に、印刷装置１の移設や、組織変更により設置されている印刷装置を利用するユーザの大幅な変更があったと推測できるので、印刷装置１が保守契約対象機器である場合、保守契約先端末４に保守の必要があることを通知する必要がある。
【００６１】
そこで、まず、通知手段１１ｃは、印刷装置１が保守契約対象機器であるか否かを判定する（ステップＳ４０５）。具体的には、通知手段１１ｃは、記憶部１２に記憶された保守対象フラグがオンである場合、印刷装置１が保守契約対象機器であると判定する。
【００６２】
印刷装置１が保守契約対象機器であると判定された場合（ステップＳ４０５；ＹＥＳ）、通知手段１１ｃは、記憶部１２から保守契約先の連絡用アドレスを読み出し、読み出した連絡先アドレスを用いて保守契約先端末４に対して、保守の必要があることを通知する（ステップＳ４０７）。
【００６３】
一方、印刷装置１が保守契約対象機器ではないと判定された場合（ステップＳ４０５；ＮＯ）、実行手段１１ｂは、通常の印刷処理を実行する（ステップＳ４０９）。
【００６４】
このように、通知手段１１ｃは、印刷装置１の電源オン時におけるＭＡＣアドレスの変化数が所定の割合以上であり、かつ記憶部１２に記憶された保守対象フラグが保守契約対象機器であることを示している場合、ネットワーク３を介して連絡先アドレスに、保守の必要があることを通知するので、保守契約先は、保守の必要があると判断することができる。これにより、ユーザがわざわざ印刷装置１を移設したことや組織変更があったことを保守契約先に連絡することなく、印刷装置１について保守契約先による十分な保守を受けることができる。
【００６５】
また、図４に示したステップＳ３０９において部署移動フラグをオンにした場合、またはステップＳ３１３においてユーザ増加フラグをオンにした場合、図６に示すように、判定手段１１ａは、部署移動フラグがオンか否かを判定する（ステップＳ５０１）。
【００６６】
部署移動フラグがオンである場合（ステップＳ５０１；ＹＥＳ）、電源オフ中に、印刷装置１の移設や、組織変更により設置されている印刷装置を利用するユーザの大幅な変更があったと推測することができる。そのため、このような場合には、初期設定から設定し直した方が印刷装置の使用環境を適切に構築することができる。
【００６７】
そこで、判定手段１１ａは、初期設定ウィザードを起動するかユーザに問い合わせる画面を表示する（ステップＳ５０３）。
【００６８】
操作パネル部１４のユーザ操作により、初期設定ウィザードの起動が要求されると（ステップＳ５０５；ＹＥＳ）、実行手段１１ｂは、初期設定動作を実行する（ステップＳ５０９）。具体的には、実行手段１１ｂは、操作パネル部１４に初期設定ウィザードを表示させ、画面遷移に従ってユーザが入力操作を行うことにより、使用するユーザの登録、ネットワークの設定、言語設定、時刻設定などの初期設定項目を設定する。
【００６９】
このように、部署移動フラグがオンの場合には、自動的に初期設定ウィザードを起動するかをユーザに問い合わせる画面が表示され、操作パネル部１４のユーザ操作により、初期設定ウィザードの起動が要求されると、実行手段１１ｂが初期設定動作を実行するので、わざわざ、ユーザが初期設定画面を起動させて初期設定することなく、初期設定ウィザードに従って入力することで、初期設定が完了する。そのため、電源オフ中に、印刷装置１の移設や、組織変更により設置されている印刷装置を利用するユーザの大幅な変更があった場合にも、初期設定のユーザへの喚起となり、ユーザは初期設定を失念することなく適切に初期設定を行うことができる。
【００７０】
一方、部署移動フラグがオフである場合（ステップＳ５０１；ＮＯ）、判定手段１１ａは、ユーザ増加フラグがオンか否かを判定する（ステップＳ５１１）。
【００７１】
ユーザ増加フラグがオンの場合（ステップＳ５１１；ＹＥＳ）、例えば、新入社員が数名配属になるなど印刷装置１を使用するユーザが数人まとまって増加したと推測できる。このような場合、失念することなく、それらの増加した複数人のユーザについてユーザ登録を行うことが必要になる。
【００７２】
そこで、判定手段１１ａは、ユーザ登録ウィザードを起動するかユーザに問い合わせる画面を表示する（ステップＳ５１３）。
【００７３】
操作パネル部１４のユーザ操作により、ユーザ登録ウィザードの起動が要求されると（ステップＳ５１５；ＹＥＳ）、実行手段１１ｂは、ユーザ登録動作を実行する（ステップＳ５１７）。具体的には、実行手段１１ｂは、操作パネル部１４にユーザ登録ウィザードを表示させ、画面遷移に従ってユーザが入力操作を行うことにより、使用するユーザの登録のみを行う。
【００７４】
このように、ユーザ増加フラグがオンの場合には、自動的にユーザ登録ウィザードを起動するかをユーザに問い合わせる画面が表示され、操作パネル部１４のユーザ操作により、ユーザ登録ウィザードの起動が要求されると、実行手段１１ｂがユーザ登録動作を実行するので、わざわざ、ユーザがユーザ登録画面を起動させてユーザ登録することなく、ユーザ登録ウィザードに従って入力することでユーザ登録が完了する。そのため、電源オフ中に、例えば、新入社員が数名配属になるなど印刷装置１を使用するユーザが数人まとまって増加した場合においても、ユーザ登録のユーザへの喚起となり、ユーザはユーザ登録を失念することなく適切にユーザ登録を行うことができる。
【００７５】
なお、操作パネル部１４のユーザ操作により、初期設定ウィザードの起動が要求されなかった場合（ステップＳ５０５；ＮＯ）、ユーザ増加フラグがオフの場合（ステップＳ５１１；ＮＯ）、または、操作パネル部１４のユーザ操作により、ユーザ登録ウィザードの起動が要求されなかった場合（ステップＳ５１５；ＮＯ）、初期設定の実行を支援する初期設定支援処理、およびユーザの登録処理の実行を支援する登録支援処理のいずれも必要ないと判断されるので、実行手段１１ｂは、通常の印刷処理を実行する（ステップＳ５２１）。
【００７６】
以上のように、本発明に係る印刷装置１によれば、判定手段１１ａは、当該印刷装置１電源オン時に、情報処理装置２のＭＡＣアドレスをネットワークを介して収集し、収集したＭＡＣアドレスと記憶部１２に記憶されたＭＡＣアドレスとを比較したときのＭＡＣアドレスの変化数に基づいて、当該印刷装置１の初期設定の実行を支援する初期設定支援処理か、ユーザの登録処理の実行を支援する登録支援処理のいずれを実行するかを判定する。
【００７７】
そのため、例えば、当該印刷装置１の電源オフ中に印刷装置１の移設や、組織変更により設置されている印刷装置を利用するユーザの大幅な変更があった場合には、初期設定支援処理を実行し、例えば、新入社員が数名配属になるなど印刷装置１を使用するユーザが数人まとまって増加した場合には、登録支援処理を実行することができる。
【００７８】
これにより、ユーザが初期設定や登録処理を失念することなく、初期設定またはユーザ登録を適切に実行することができる。
【符号の説明】
【００７９】
１  印刷装置
２  情報処理装置
３  ネットワーク
１１  ＣＰＵ
１１ａ  判定手段
１１ｂ  実行手段
１１ｃ  通知手段
１２  記憶部
１３  プログラム記憶部
１３ａ  制御プログラム
１４  操作パネル部
１５  画像形成部
１６  ネットワークＩ／Ｆ部
２１  ＣＰＵ
２２  メモリ
２３  プログラム記憶部
２３ａ  プリンタドライバプログラム
２３ｂ  アプリケーションプログラム
２４  表示部
２５  入力部
【図１】
2018099812.tif 000003
【図２】
2018099812.tif 000004
【図３】
2018099812.tif 000005
【図４】
2018099812.tif 000006
【図５】
2018099812.tif 000007
【図６】
2018099812.tif 000008